(57)【要約】      （修正有）【課題】接続再開時における手動の接続設定操作を減らして作業性を高める。【解決手段】通信端末それぞれは、端末間接続が解除された後の再接続時に接続相手先端末を特定する通信制御部を備える。通信制御部は、直前の接続相手先端末を最優先として時間を遡って接続順に他の通信端末に第１の接続優先度を設定する第１の接続先特定テーブルと、他の通信端末に当該端末の装置機能毎に第２の接続優先度を設定する第２の接続先特定テーブルとを備える。通信制御部は、再接続時には、第２の接続先特定テーブルにおける第２の接続優先度が最も高い他の通信端末群のうちで、第１の接続先特定テーブルにおける第１の接続優先度が最も高い他の通信端末を通信相手先端末となるよう特定する。【選択図】図１
2015177229.tif 000002
【特許請求の範囲】
【請求項１】
近距離無線通信により相互通信可能に端末間接続される少なくとも３つの通信端末を備え、
前記通信端末それぞれは、前記端末間接続が解除された後の再接続時に接続相手先端末を特定する通信制御部を備えており、
前記通信制御部は、
直前の接続相手先端末を最優先として時間を遡って接続順に他の通信端末に第１の接続優先度を設定する第１の接続先特定テーブルと、
前記他の通信端末に当該端末の装置機能毎に第２の接続優先度を設定する第２の接続先特定テーブルと、
を備え、
かつ前記通信制御部は、前記再接続時には、前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する、
ことを特徴とする、近距離無線通信システム。
【請求項２】
少なくとも２台の他の通信端末との間で近距離無線通信により相互通信可能に端末間接続される通信端末であって、
前記端末間接続が解除された後の再接続時に接続相手先端末を特定する通信制御部を備えており、
前記通信制御部は、
直前の接続相手先端末を最優先として時間を遡って接続順に他の通信端末に第１の接続優先度を設定する第１の接続先特定テーブルと、
前記他の通信端末に当該端末の装置機能毎に第２の接続優先度を設定する第２の接続先特定テーブルと、
を備え、
かつ前記通信制御部は、前記再接続時には、前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する、
ことを特徴とする、通信端末。
【請求項３】
通信端末が、少なくとも２台の他の通信端末との間で近距離無線通信により行う通信方法であって、
前記通信端末が直前の接続相手先端末を最優先として時間を遡って接続順に他の通信端末に第１の接続優先度を設定する第１の接続先特定テーブル設定ステップと、
前記通信端末が前記他の通信端末に当該端末の装置機能毎に第２の接続優先度を設定する第２の接続先特定テーブル設定ステップと、
前記通信端末が、他の通信端末との間の再接続時に前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する通信相手先端末特定ステップと、
を含むことを特徴とする通信方法。
【発明の詳細な説明】
【技術分野】
【０００１】
本発明は、近距離無線通信により相互通信する複数の通信端末からなる近距離無線通信システム、通信端末、および通信方法に関する。
【背景技術】
【０００２】
従来から、近距離無線通信システムとして、複数の通信端末を組み合わせ、それら通信端末をブルーツース（登録商標）通信等の近距離無線通信によって接続して相互通信するものがある。
【先行技術文献】
【特許文献】
【０００３】
【特許文献１】特開２００８−１４１７４４号公報
【発明の概要】
【発明が解決しようとする課題】
【０００４】
この種の近距離無線通信システムでは、一旦端末間の接続が解除された状態から接続が再開された状態に移行する際（例えば一方の通信端末で生じた瞬断後の接続再起動時）には、接続を再開する通信端末と直前の接続先通信端末とが自動的に接続される。これは、各通信端末には、以前に接続先として設定されていた接続先通信端末の接続に関するデータが登録されており、このデータを用いれば、起動時等の再接続時には、接続先通信端末として、再接続直前に接続されていた接続先通信端末を自動的に認識して再接続することができるためである。
【０００５】
このような再接続は、通信端末で生じた瞬断後の再起動時には便利であるが、再接続先の通信端末は、直前の接続先の通信端末に限定されてしまう。しかしながら、端末間の接続を解除した状態から接続を再開する際における接続先は、直前の接続先の通信端末とは限らず、意図的に接続先を変更する場合もある。そのため、接続再開時に意図的に接続先を変更したい場合には、接続再開後に手動で接続先を変更する作業を行わねばならず、この作業に手間がかかる。
【０００６】
そこで、本発明は、近距離無線通信システムにおいて、接続再開時における手動の接続設定操作を減らして作業性を高めることを目的としてなされたものである。
【課題を解決するための手段】
【０００７】
本発明の近距離無線通信システムは、
近距離無線通信により相互通信可能に端末間接続される少なくとも３つの通信端末を備え、
前記通信端末それぞれは、前記端末間接続が解除された後の再接続時に接続相手先端末を特定する通信制御部を備えており、
前記通信制御部は、
直前の接続相手先端末を最優先として時間を遡って接続順に他の通信端末に第１の接続優先度を設定する第１の接続先特定テーブルと、
前記他の通信端末に当該端末の装置機能毎に第２の接続優先度を設定する第２の接続先特定テーブルと、
を備え、
かつ前記通信制御部は、前記再接続時には、前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する。
【０００８】
本発明の通信端末は、
少なくとも２台の他の通信端末との間で近距離無線通信により相互通信可能に端末間接続される通信端末であって、
前記端末間接続が解除された後の再接続時に接続相手先端末を特定する通信制御部を備えており、
前記通信制御部は、
直前の接続相手先端末を最優先として時間を遡って接続順に他の通信端末に第１２の接続優先度を設定する第１の接続先特定テーブルと、
前記他の通信端末に当該端末の装置機能毎に第２の接続優先度を設定する第２の接続先特定テーブルと、
直前の接続相手先端末を最優先として時間を遡って接続順に他の通信端末に第１の接続優先度を設定する第１の接続先特定テーブルと、
前記他の通信端末に当該端末の装置機能毎に第２の接続優先度を設定する第２の接続先特定テーブルと、
を備え、
かつ前記通信制御部は、前記再接続時には、前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する。
【０００９】
本発明の通信方法は、
通信端末が、少なくとも２台の他の通信端末との間で近距離無線通信により行う通信方法であって、
前記通信端末が直前の接続相手先端末を最優先として時間を遡って接続順に他の通信端末に第１の接続優先度を設定する第１の接続先特定テーブル設定ステップと、
前記通信端末が前記他の通信端末に当該端末の装置機能毎に第２の接続優先度を設定する第２の接続先特定テーブル設定ステップと、
前記通信端末が、他の通信端末との間の再接続時に前記第２の接続先特定テーブルにおける前記第２の接続優先度が最も高い他の通信端末群のうちで、前記第１の接続先特定テーブルにおける前記第１の接続優先度が最も高い前記他の通信端末を通信相手先端末となるよう特定する通信相手先端末特定ステップと、
を含む。
【００１０】
本発明によれば、第２の接続先特定テーブルにおける第２の接続優先度が最も高い他の通信端末群のうちで、第１の接続先特定テーブルにおける第１の接続優先度が最も高い（最直近に接続された）他の通信端末を、通信相手先端末となるよう特定するので、各通信端末は、所望する機能を有しかつ最直近に接続されていたものの現在未接続状態である他の通信端末と接続されることになる。これにより、再接続時において、所望する相手先端末と接続されないために手動で再接続をやり直す、といった手間が大幅に省略される。
【発明の効果】
【００１１】
本発明によれば、接続再開時における手動の接続設定操作が削減されてその分、作業者が通信設定時に行う作業における作業性が高まる。
【図面の簡単な説明】
【００１２】
【図１】本発明の一実施形態にかかる通信システムの構成を示すブロック図である。
【図２】本発明の一実施形態の通信端末の要部の構成を示すブロック図である。
【図３】第１の接続先特定テーブルの構成を示す図である。
【図４】第２の接続先特定テーブルの構成を示す図である。
【図５】本発明の一実施形態の通信端末が実施する再接続制御のフローチャートである。
【発明を実施するための形態】
【００１３】
以下に、本発明にかかる近距離無線通信システムを、その実施の形態を示した図面に基づいて詳細に説明する。
【００１４】
図１、図２に示したブロック図において、１Ａ1〜１Ａ3は無線機であり、１Ｂ1〜１Ｂ3は多機能携帯電話（以下、スマートホンと称する）であり、１Ｃはパーソナルコンピュータであり、１Ｄは、ゲーム機であり、２は無線ヘッドセットであり、３は近距離無線通信システムである。
【００１５】
無線機１Ａ1〜１Ａ3とスマートホン１Ｂ1〜１Ｂ3とパーソナルコンピュータ（ＰＣ）１Ｃとゲーム機１Ｄと無線ヘッドセット２とは、近距離無線通信により端末間接続されて相互通信する機能を備えた通信端末の一例であって、それぞれが近距離無線通信モジュール４を備えている。本実施の形態で近距離無線通信システム３は、これら通信端末１Ａ1〜１Ａ3、１Ｂ1〜１Ｂ3、１Ｃ、１Ｄ、２によって構成されているが、構成する装置の数は随意増減可能である。
【００１６】
無線機１Ａ1〜１Ａ3は、近距離無線通信を実行する構成（近距離無線通信モジュール４）の他に、近距離無線通信とは異なる汎用の無線通信により図示しない他の無線機との間で無線通信を行う機能を有している。スマートホン１Ｂ1〜１Ｂ3は、近距離無線通信を実行する構成（近距離無線通信モジュール４）の他に、近距離無線通信とは異なる汎用の移動体無線通信により図示しない他のスマートホンや携帯電話との間で音声ならびにデータ通信を行う機能を有している。パーソナルコンピュータ１Ｃは、近距離無線通信により他の通信端末との間でデータ通信する構成（近距離無線通信モジュール４を含む）を有している。ゲーム機１Ｄは、近距離無線通信により他のゲーム機等との間で対戦型ゲームを実行する構成（近距離無線通信モジュール４を含む）を有している。無線ヘッドセット２は、操作者の頭部に装着されて、無線機１Ａ1〜１Ａ3、スマートホン１Ｂ1〜１Ｂ3、パーソナルコンピュータ１Ｃ等との間で近距離無線通信を介して音声データの送受を行う装置であって、近距離無線通信モジュール４と無線ヘッドセット２全体を制御するＣＰＵ５とマイクロホン６とスピーカ７とを備える。
【００１７】
各通信端末１Ａ1〜１Ａ3、１Ｂ1〜１Ｂ3、１Ｃ、１Ｄ、２が有する近距離無線通信モジュール４は、マイクロコントロ−ルユニット（以下、ＭＣＵと称する）１０を備える。ＭＣＵ１０は、ＨＣＩファームウェア層１０ａとアプリケーション層１０ｂとを備える。アプリケーション層１０ｂに実装されるソフトウェアはバーチャルマシン（以下、ＶＭと称す）の管理下で動作する。ＶＭは、ＭＣＵ１０上において、ＨＣＩファームウェア層１０ａやアプリケーション層１０ｂの動作をエミュレートするソフトウェアやフレームワークである。ＨＣＩファームウェア層１０ａには、ＨＣＩ（ホストコントローラインタフェース）のプロトコルで動作するＨＣＩファームウェアが実装されている。ＨＣＩファームウェアには、近距離無線通信の通信制御を行うソフトウェアが含まれる。
【００１８】
アプリケーション層１０ｂには、ホストソフトウェアおよびホスト上で動作するアプリケーションが実装されている。アプリケーション層１０ｂに実装されているアプリケーションには、通信制御部１４が含まれる。
【００１９】
通信制御部１４は、近距離無線通信の制御を行うコントローラアプリケーションである。通信制御部１４は、通信相手先通信端末との間の近距離無線通信を制御するものであって、第１の接続先特定テーブル１４Ａと第２の接続先特定テーブル１４Ｂとを備える。
【００２０】
図３、図４に第１、第２の接続先特定テーブル１４Ａ、１４Ｂが示される。第１、第２の接続先特定テーブル１４Ａ、１４Ｂには、通信相手先端末との間の通信に関するデータが登録順で格納されている。図中、これらテーブル１４Ａ、１４Ｂでは、上段側に行くほど登録時点が古いことを示している。
【００２１】
図３に示す第１の接続先特定テーブル１４Ａでは、近距離無線通信における通信相手先端末を特定するアドレス情報（以下、ＢＤＡＤＤＲと称する）とリンクキーとが互いに対応付けられて上述した登録順に格納されている。ここで、リンクキーとは、通信相手先端末との間の接続（ペアリング）が成功した時点でその接続を特定するために、接続（ペアリング）毎に個別に付与される接続特定データ（いわばパスワード）である。
【００２２】
さらに、第１の接続先特定テーブル１４Ａでは、直前に接続していた接続相手先端末を最優先として時間を遡って接続順に通信相手先端末に接続優先度が設定されている。この優先度が、本発明における第１の接続優先度である。第１の接続優先度は、indexデータとして第１の接続先特定テーブル１４Ａに登録されている。indexデータにおいて、接続最優先 は"0" であり、以降、順次"1","2","3"...の順で優先度が低くなる。
【００２３】
図４に示す第２の接続先特定テーブル１４Ｂでは、装置機能を特定するクラス・オブ・デバイスデータ（以下、Ｃｏｄと称する）と、通信端末の装置機能を示す名称データとが互いに対応付けられて上述した登録順に格納されている。ここで装置機能とは、通信端末それぞれをその装置の機能により分類したものであって、本実施の形態を例にして具体的にいえば、“無線機“、“スマートホン”、“パーソナルコンピュータ”、“ゲーム機”、“無線ヘッドセット”等がある。
【００２４】
図４において、”０×１００”は、“パーソナルコンピュータ”（ＰＣ）を特定するＣｏｄであり、”０×２０Ｃ”は、“スマートホン”を特定するＣｏｄであり、”０×１Ｆ００”は、“無線機”を特定するＣｏｄであり、”０×８１４”は、“ゲーム機”を特定するＣｏｄである。
【００２５】
さらに通信制御部１４では、図示はしないが、装置機能の中で通信相手先端末として再接続する際に、再接続を優先する装置機能を順番付けして設定している。この優先度が、本発明における第２の接続優先度である。本実施の形態の通信制御部１４では、例として、“無線機”を第１優先装置機能（最優先で接続する装置機能）に設定し、他の装置機能を第２優先装置機能群（第１優先より優先度が低い装置機能群）に設定している。接続先特定テーブル１４Ｂは、通信制御部１４に設定されている、再接続を優先する装置機能の順番付けを読み出して用いている。
【００２６】
なお、上述した説明では、再接続を優先する装置機能の順番付は、通信制御部１４に登録するとしたが、この他、再接続を優先する装置機能の順番付は、第２の接続先特定テーブル１４Ｂに登録してもよい。さらには、再接続を優先する装置機能の順番付は、通信制御部１４や第２の接続先特定テーブル１４Ｂに固定的に設定してもよいし、ユーザが任意にそのデータを設定するようにしてもよい。
【００２７】
第１、第２の接続先特定テーブル１４Ａ、１４Ｂでは、通信相手先端末との間の近距離無線通信状態が変更になる毎にそのデータが更新される。ここで、接続状態が変更になる、とは、
・新たな通信相手先端末との間で新規登録（ペアリング）が成功すること、
・一旦、接続が解除されたのち、接続に関するデータが登録されている既存の通信相手先端末との間で、再接続が開始されること、
が例示される。
【００２８】
前者の接続状態の更新時には、第１、第２の接続先特定テーブル１４Ａ、１４Ｂのデータが更新（追加）される。後者の接続状態の更新時には、第１の接続先特定テーブル１４Ａにおけるindexデータのみが更新される。
【００２９】
第１の接続先特定テーブル１４Ａに格納された各通信端末のデータと、第２の接続先特定テーブル１４Ｂに格納された各通信端末のデータとは、一対一で対応している。具体的には、第１の接続先特定テーブル１４Ａの最上段のデータ領域に情報が登録された通信相手先端末と、第２の接続先特定テーブル１４Ｂの最上段のデータ領域に情報が登録された通信相手先端末とは一対一で対応しており、両者は同じ通信相手先端末である。同様に、第１、第２の接続先特定テーブル１４Ａ、１４Ｂの図中各段のデータ領域に情報が登録された通信相手先端末同士は一対一で対応している。
【００３０】
通信制御部１４は、第１、第２の接続先特定テーブル１４Ａ、１４Ｂを用いて、次のような再接続制御を行う。すなわち、再接続時において、通信制御部１４は、第２の接続先特定テーブル１４Ｂにおける第２の接続優先度が最も高い他の通信端末群のうちで、第１の接続先特定テーブル１４Ａにおける第１の接続優先度が最も高い他の通信端末を通信相手先端末となるよう特定する。
【００３１】
次に、無線ヘッドセット２を主端末として、他の通信端末を従端末とした近距離無線通信処理を、図５のフローチャートを参照して説明する。まず、接続相手先端末との間で最初の通信を行う（ペアリングを行う）毎に、各無線ヘッドセット２を含む全ての通信端末の通信制御部１４では、その最初の通信によって得られる通信相手先端末の接続に関する情報が、第１、第２の接続先特定テーブル１４Ａ、１４Ｂに格納される。通常、近距離無線通信規格では、最大、８台の通信端末に関する接続情報が登録可能となっている。
【００３２】
図３、図４に示す例では、無線ヘッドセット２の通信制御部１４における第１、第２の接続先特定テーブル１４Ａ、１４Ｂには、“パーソナルコンピュータ（ＰＣ）１”、“スマートホン１”、“無線機１”、“スマートホン２”、“スマートホン３”、“無線機２”、“ゲーム機１”、“無線機３”の接続データが、この順序で登録されている。
【００３３】
なお、本実施の形態では、無線ヘッドセット２が主端末であると想定して説明を行っているため、第１、第２の接続先特定テーブル１４Ａ、１４Ｂには、“無線ヘッドセット”の接続データは登録されていない。
【００３４】
また、この例では、第１、第２の接続先特定テーブル１４Ａ、１４Ｂに示すように、最も直近の接続状態では、無線ヘッドセット２（主端末）はスマートホン２（従端末）に接続されていたと想定している。
【００３５】
この状態で、無線ヘッドセット２と最直近に接続されていた通信相手先端末（この例ではスマートホン２）との間の接続状態が切断されたのち、接続が再開された場合、まず、主端末（無線ヘッドセット２）の通信制御部１４は、第１の接続先特定テーブル１４Ａのindexデータを参照することで、index"0"が付与された通信相手先端末を、第１の接続優先度が最も高い通信相手先端末、すなわち、最も直近の接続状態で無線ヘッドセット２に接続されていた通信相手先端末として特定する。この場合、図中、上から４段目に登録された接続情報を有する通信相手先端末が第１の接続優先度が最も高い通信相手先端末として特定される（ステップＳ１、ステップＳ２）。
【００３６】
ステップＳ１、Ｓ２で第１の接続優先度が最も高い通信相手先端末の特定が完了すると、さらに、通信制御部１４は、第２の接続先特定テーブル１４Ｂを参照することで、ステップＳ１、Ｓ２で特定した通信相手先端末の装置機能を特定する（ステップＳ３）。この場合、図中、第２の接続先特定テーブル１４Ｂの上から４段目に登録された通信相手先端末に対応する装置機能が特定される。具体的には、通信相手先端末として“スマートホン２”が、またその装置機能として“スマートホン”がそれぞれ特定される。通信制御部１４は、第２の接続先特定テーブル１４Ｂを参照することで、さらに、ステップＳ３で特定した装置機能“スマートホン”に付与された第２の接続優先度を判断する（ステップＳ４）。
【００３７】
前述したように、第２の接続先特定テーブル１４Ｂでは、最も第２の接続優先度が高い装置機能は“無線機”に設定されているため、通信制御部１４は、ステップＳ３において特定した装置機能“スマートホン”は、第２の接続優先度における最も高い優先度を有していないと判断する。
【００３８】
このような判断を下した場合、通信制御部１４は、ステップＳ５に移行して、第１の接続先特定テーブル１４Ａにおいて参照するindexデータを一つ加算する処理を行う。この場合は、参照するindexデータを、index"0"からindex"1"にインクリメントする。
【００３９】
ステップＳ５の処理（indexデータ加算処理）を行ったのち、通信制御部１４は、ステップＳ２に戻って、第１の接続先特定テーブル１４Ａを再度参照することで、前回のステップＳ２で特定した通信相手先端末の次に第１の接続優先度が高い通信相手先端末（換言すれば、最直近接続の一つ前に接続された通信相手先端末）を特定する。この場合、index"1"が付与された図中、上から５段目に登録された接続情報を有する通信相手先端末が特定される。さらに、通信制御部１４は、ステップＳ２において再度特定した通信相手先端末を、第２の接続先特定テーブル１４Ｂで参照することで、ステップＳ２で再度特定した通信相手先端末の装置機能を特定する（ステップＳ３）。この場合、図中、第２の接続先特定テーブル１４Ｂの上から５段目に登録された通信相手先端末とその装置機能が特定される。具体的には、通信相手先端末として“スマートホン３”が、また装置機能として“スマートホン”がそれぞれ特定される。
【００４０】
さらに、通信制御部１４は、ステップＳ３で特定した装置機能“スマートホン”に付与された第２の接続優先度を再度判断する（ステップＳ４）。第２の接続先特定テーブル１４Ｂでは、最も第２の接続優先度が高い装置機能は“無線機”に設定されているため、通信制御部１４は、ステップＳ３で特定した装置機能“スマートホン”は、第２の接続優先度における最も高い接続優先度を有していない、と再度判断する。
【００４１】
このような判断を下した通信制御部１４は、ステップＳ５に移行して、第１の接続先特定テーブル１４Ａにおいて参照するindexデータを一つ加算する処理を行う。この場合は、参照するindexデータを、index"1"からindex"2"にインクリメントする。
【００４２】
ステップＳ５の処理（indexデータ加算処理）を行ったのち、通信制御部１４は、ステップＳ２に戻って、第１の接続先特定テーブル１４Ａを再度参照することで、前回のステップＳ２で特定した通信相手先端末の次に第１の接続優先度が高い通信相手先端末（換言すれば、最直近接続の二つ前に接続された通信相手先端末）を特定する。この場合、index"2"が付与された図中、上から６段目に登録された接続情報を有する通信相手先端末が特定される。
【００４３】
さらに、通信制御部１４は、ステップＳ２で特定した通信相手先端末を第２の接続先特定テーブル１４Ｂでさらに参照することで、第１の接続優先度に基づいて特定された通信相手先端末の装置機能を特定する（ステップＳ３）。この場合、図中、第２の接続先特定テーブル１４Ｂの上から６段目に登録された通信端末とその装置機能が特定される。具体的には、通信端末として“無線機２”が、また装置機能として“無線機”がそれぞれ特定される。
【００４４】
さらに、通信制御部１４は、ステップＳ３で特定した装置機能“無線機”に付与された第２の接続優先度を再度判断する（ステップＳ４）。第２の接続先特定テーブル１４Ｂでは、第２の接続優先度が最も高い装置機能は“無線機”に設定されているため、通信制御部１４は、ステップＳ３において特定した装置機能“無線機”は、第２の接続優先度における最も高い接続優先度を有している、と判断する。この判断を下した通信制御部１４は、特定した無線機２との間の接続（近距離無線通信）を開始する(ステップＳ６)。
【００４５】
以上の処理を行うことで、通信制御部１４は、第２の接続先特定テーブル１４Ｂにおける第２の接続優先度が最も高い他の通信端末群（通信相手先端末群）のうちで、第１の接続先特定テーブル１４Ａにおける第１の接続優先度が最も高い前記他の通信端末を通信相手先端末として特定する。
【００４６】
本発明の近距離無線通信システムや通信装置では、上述した再接続を行うことで、操作者が再接続を要望すると、接続順に通信相手先端末の優先度が設定されている第１の接続先特定テーブ１４Ａと、予め第２の接続先特定テーブル１４Ｂに設定しておいた装置機能による優先度とによって接続相手先端末に自動的に再接続することが可能となり、無用な手動接続を実施する手間が省かれて、作業性が向上する。
【００４７】
以上説明した実施の形態では、主端末は、一度に単一の従端末とのみ接続を行う態様であった。しかしながら、主端末が一度に複数の従端末と接続を行うことが可能な態様においても、本発明を実施することができる。この態様では、第１の接続先特定テーブル１４Ａのみを用いた従前の再接続を行うことも、第１、第２の接続先特定テーブル１４Ａ、１４Ｂを用いた本発明の再接続を行ってもよい。
【００４８】
また、上述した実施の形態では、最初に第１の接続先特定テーブル１４Ａにおける第１の接続優先度の高い順に、第２の接続先特定テーブル１４Ｂにおける対応する通信端末の装置機能の優先度が最も高いか否かを判断することで通信相手先端末を特定しているが、通信相手先端末の特定方法はこれに限らない。例えば、最初に第２の接続先特定テーブル１４Ｂにおいて第２の接続優先度の高い通信端末群について、第１の接続先特定テーブル１４Ａにおける対応する通信端末の接続順が最も直近である通信端末を通信相手先端末として特定してもよい。また、上述した実施の形態では、第１の接続先特定テーブル１４Ａおよび第２の接続先テーブル１４Ｂの二つのテーブルを備えているが、１つの接続先特定テーブルに、接続順、ＢＤＡＤＤＲ、リンクキー、ＣｏＤ、名称データの全てを登録できるようにしてもよい。接続先特定テーブルを一つとした場合も、接続順に基づく第１の接続優先度の高い順に第２の接続優先度を判断してもよいし、第２の接続優先度の高い通信端末のうちから第１の接続優先度の最も高い通信端末を特定してもよい。さらには、再接続する通信相手先端末を特定するために、第２の接続優先度について使用するか否かを、ユーザが設定できるようにしても構わない。
【符号の説明】
【００４９】
１Ａ1〜１Ａ3  無線機
１Ｂ1〜１Ｂ3  スマートホン
１Ｃ  パーソナルコンピュータ
１Ｄ  ゲーム機
２  無線ヘッドセット
３  近距離無線通信システム
４  近距離無線通信モジュール
５  ＣＰＵ
６  スピーカ
７  マイクロホン
１０  ＭＣＵ
１０ａ  ＨＣＩファームウェア層
１０ｂ  アプリケーション層
１４  通信制御部
１４Ａ  第１の接続先特定テーブル
１４Ｂ  第２の接続先特定テーブル
【図１】
2015177229.tif 000003
【図２】
2015177229.tif 000004
【図３】
2015177229.tif 000005
【図４】
2015177229.tif 000006
【図５】
2015177229.tif 000007